(57)【要約】【課題】  ユーザにとって有益な他チャネルのＥＰＧ情報をリアルタイムに取得できるようにする。【解決手段】  制御部１５０は、第１、第２の電界強度検出回路１０３、２０３により検出される受信電界強度に基づき、受信電界強度が安定しており、２つの受信系統のいずれでもエラーパケットが無く、ダイバーシチ受信を行う必要が無いと判定した場合、第１のスイッチ回路１０９を切り替え、第１のチューナ１０１の受信を第２のチューナ２０１とは異なる周波数で開始し、第２のチューナ２０１で視聴しているチャネル以外のＥＰＧ情報を受信してＥＰＧ蓄積回路１１１に蓄積する。【選択図】  図１
2006211111.tif 000002
【特許請求の範囲】
【請求項１】
複数の受信手段を用いてダイバーシチ受信を行うテレビ受信機であって、
前記受信手段の受信電界強度を基に、前記ダイバーシチ受信の必要性を判定する受信状態判定手段と、
前記受信状態判定手段によりダイバーシチ受信が必要でないと判定された場合、前記複数の受信手段のうちの第１の受信手段を他チャネルの受信動作に切り替える受信動作切替手段と、
前記第１の受信手段を用いて前記他チャネルの番組情報を取得する番組情報取得手段とを備えるテレビ受信機。
【請求項２】
請求項１に記載のテレビ受信機であって、
前記受信動作切替手段は、前記受信状態判定手段によりダイバーシチ受信が必要であると判定された場合、前記複数の受信手段を用いたダイバーシチ受信動作を継続させるテレビ受信機。
【請求項３】
請求項１に記載のテレビ受信機であって、
受信チャネルの切替指示の有無を判定するチャネル切替判定手段を備え、
前記受信動作切替手段は、前記受信チャネルの切替指示があった場合、前記複数の受信手段のうちの第１の受信手段を新たなチャネルの受信動作に切り替えるとともに、前記複数の受信手段のうちの第２の受信手段を以前のチャネルの受信動作のまま継続させるものであり、
前記第１の受信手段から前記新たなチャネルの受信信号が出力可能となった場合に、前記第２の受信手段の出力から前記第１の受信手段の出力に切り替える出力切替手段を備えるテレビ受信機。
【請求項４】
請求項３に記載のテレビ受信機であって、
前記出力切替手段により前記第１の受信手段からの出力に信号出力が切り替えられた後、
前記受信動作切替手段は、前記受信状態判定手段によりダイバーシチ受信が必要でないと判定された場合、前記第２の受信手段を前記新たなチャネルと異なる他チャネルの受信動作に切り替え、
前記番組情報取得手段は、前記第２の受信手段を用いて前記他チャネルの番組情報を取得するテレビ受信機。
【請求項５】
複数の受信手段を用いてダイバーシチ受信を行うテレビ受信機であって、
受信チャネルの切替指示の有無を判定するチャネル切替判定手段と、
前記受信チャネルの切替指示があった場合、前記複数の受信手段のうちの一方の受信手段を新たなチャネルの受信動作に切り替えるとともに、前記複数の受信手段のうちの他方の受信手段を以前のチャネルの受信動作のまま継続させる受信動作切替手段と、
前記一方の受信手段から前記新たなチャネルの受信信号が出力可能となった場合に、前記他方の受信手段の出力から前記一方の受信手段の出力に切り替える出力切替手段とを備えるテレビ受信機。
【請求項６】
請求項５に記載のテレビ受信機であって、
前記受信動作切替手段は、前記出力切替手段により前記一方の受信手段からの出力に信号出力が切り替えられた後、前記他方の受信手段を前記新たなチャネルの受信動作に切り替えてダイバーシチ受信を行うテレビ受信機。
【請求項７】
複数の受信手段を用いてダイバーシチ受信を行うテレビ受信方法であって、
前記受信手段の受信電界強度を基に、前記ダイバーシチ受信の必要性を判定する受信状態判定ステップと、
前記受信状態判定ステップによりダイバーシチ受信が必要でないと判定された場合、前記複数の受信手段のうちの第１の受信手段を他チャネルの受信動作に切り替える受信動作切替ステップと、
前記第１の受信手段を用いて前記他チャネルの番組情報を取得する番組情報取得ステップとを有するテレビ受信方法。
【請求項８】
複数の受信手段を用いてダイバーシチ受信を行うテレビ受信方法であって、
受信チャネルの切替指示の有無を判定するチャネル切替判定ステップと、
前記受信チャネルの切替指示があった場合、前記複数の受信手段のうちの一方の受信手段を新たなチャネルの受信動作に切り替えるとともに、前記複数の受信手段のうちの他方の受信手段を以前のチャネルの受信動作のまま継続させる受信動作切替ステップと、
前記一方の受信手段から前記新たなチャネルの受信信号が出力可能となった場合に、前記他方の受信手段の出力から前記一方の受信手段の出力に切り替える出力切替ステップとを有するテレビ受信方法。
【発明の詳細な説明】
【技術分野】
【０００１】
本発明は、地上波デジタルテレビ放送等を受信するテレビ受信機及びテレビ受信方法に関する。
【背景技術】
【０００２】
近年、テレビ受信機として、地上波デジタルテレビ受信機が普及しつつある。図５は従来の地上波デジタルテレビ受信機の構成を示すブロック図である。この地上波デジタルテレビ受信機は、アンテナ３００、チューナ３０１、復調器３０２、誤り訂正回路３０４、ＴＳデコード回路３０６、デコード回路３７及び映像・音声出力回路３０８を有して構成される。チューナ３０１は希望の周波数チャネルを選択する。復調器３０２はＯＦＤＭ（直交周波数分割多重：Orthogonal Frequency Division Multiplexing）信号をデジタルデータに変換する。誤り訂正回路３０４は送信局側で施されたエラー訂正機能によりエラーを訂正、検出する。ＴＳデコード回路３０６は、トランスポートストリーム信号（ＴＳ信号）からパケットＩＤ（ＰＩＤ）により希望の情報が含まれるパケットを抽出する。デコード回路３０７は地上波デジタルテレビの符号化方式で符号化された映像及び音声の信号をデコードする。映像・音声出力回路３０８は液晶ディスプレイやスピーカ等で受信した映像及び音声を再生出力する。
【０００３】
このような構成を有する地上波デジタルテレビ受信機では、フェージングの影響が大きい場合、特にこの影響が顕著である移動体による受信では、受信品質を確保することが困難であった。このフェージング対策として、一般的にダイバーシチ受信が行われる。ダイバーシチ受信は、アンテナ、もしくはアンテナ及び受信回路を２系統用意することで実現される（例えば、特許文献１参照）。
【０００４】
図６はアンテナ及び受信回路を２系統用意して実現されたダイバーシチによる地上波デジタルテレビ受信機の構成を示すブロック図である。このダイバーシチによる地上波デジタルテレビ受信機（単に、ダイバーシチ受信機という）は、図５の受信機の構成に加え、第２のアンテナ４００、第２のチューナ４０１、第２の復調器４０２、第２の誤り訂正回路４０２及びＴＳ選択回路３０５から構成される。ＴＳ選択回路３０５は、誤り訂正回路３０４、４０４から出力されるＴＳパケット信号のヘッダ部に含まれるトランスポートエラー指標情報から、ＴＳパケット信号のエラーの有無を検出し、その出力結果を基に誤り訂正回路３０４、４０４から出力されるいずれのＴＳパケット信号を選択するかを決定する。
【０００５】
このダイバーシチ受信機は、２つのアンテナ３００、４００で受信したデータのうち、良好な受信状態にある方のデータをリアルタイムに選択する。しかし、ダイバーシチ受信機は、フェージング対策として有効な機能を有する反面、常にダイバーシチ受信を必要とする電波環境下に置かれるわけではなく、そのような電波環境下では、ダイバーシチ受信を行わなくても、安定した受信動作を行うことができる。
【０００６】
また、一般的に、固定受信機で地上波デジタルテレビのＥＰＧ（電子番組表）情報を受信する場合、次の２通りの方法で、つまり、受信しているチャネルのデータ放送を受信する方法、ユーザがテレビ視聴していない時間にデータ放送を受信して蓄えておく方法で、ＥＰＧ情報の受信が行われていた。
【０００７】
しかしながら、上記従来のテレビ受信機では、以下に掲げる課題があった。通常、ダイバーシチ受信機において、チャネルを切り替えるとき、物理的なチャネルを切り替えるので、チャネル切替後に、新しいチャネルで受信を開始し、映像の再生を行うまでの間、出力できる画像がなく、チャネル切替の直前の画像を静止したままにしておくか、表示を停止していた。デジタルテレビ放送では、映像の圧縮フォーマットにＭＰＥＧが使用されているので、参照フレーム（Ｉピクチャ）を受信できるまで、映像のデコードができないという特徴があった。通常、参照フレームは数秒毎に送信されるので、ユーザがチャネルを切り替えてから、実際に切り替えたチャネルの映像が出力されるまで、数秒の時間を要してしまう。つまり、チャネルを切り替えてから、切り替えたチャネルの映像が出力されるまでの数秒間は、切替前のチャネルの最後の映像のまま静止しているか、何も出力されないままの状態になってしまう。このため、チャネルを切り替えてから受信内容が出力されるまでの待ち受け時間が長かった。
【０００８】
また、上記従来のテレビ受信機として、移動体での受信を想定した１セグメント（１ＳＥＧ）地上波デジタルテレビ受信機では、ユーザに対して十分なＥＰＧ情報を提供できないという課題があった。つまり、移動体での受信を想定した１ＳＥＧ地上波デジタルテレビの場合、送信波の帯域が狭いという制約があるので、１つの放送局から送信されるＥＰＧ情報には、現在放送している番組の情報、もしくは同チャネルで次に放送する番組の情報程度しか得ることができなかった。また、移動体での受信を考慮すると、ユーザがテレビ視聴を行っていない時間に取得したＥＰＧ情報は、ユーザが実際にテレビ視聴を開始した場所や時間によっては使用できないものとなっている可能性が高かった。
【０００９】
【特許文献１】特開２００４−２６０３７９号公報
【発明の開示】
【発明が解決しようとする課題】
【００１０】
本発明は、上記事情に鑑みてなされたもので、ユーザにとって有益な他チャネルのＥＰＧ情報をリアルタイムに取得することが可能なテレビ受信機及びテレビ受信方法を提供することを目的とする。また、本発明は、受信チャネルの切替時に発生していた、受信内容が出力されるまでの待ち受け時間が長いという違和感を大幅に緩和することが可能なテレビ受信機及びテレビ受信方法を提供することを目的とする。
【課題を解決するための手段】
【００１１】
本発明のテレビ受信機は、複数の受信手段を用いてダイバーシチ受信を行うテレビ受信機であって、前記受信手段の受信電界強度を基に、前記ダイバーシチ受信の必要性を判定する受信状態判定手段と、前記受信状態判定手段によりダイバーシチ受信が必要でないと判定された場合、前記複数の受信手段のうちの第１の受信手段を他チャネルの受信動作に切り替える受信動作切替手段と、前記第１の受信手段を用いて前記他チャネルの番組情報を取得する番組情報取得手段とを備えるものである。
これにより、ユーザにとって有益な他チャネルのＥＰＧ情報をリアルタイムに取得することが可能となる。
【００１２】
また、本発明のテレビ受信機は、上記のテレビ受信機であって、前記受信動作切替手段は、前記受信状態判定手段によりダイバーシチ受信が必要であると判定された場合、前記複数の受信手段を用いたダイバーシチ受信動作を継続させることとする。
これにより、必要に応じてダイバーシチ動作を維持することが可能となる。
【００１３】
また、本発明のテレビ受信機は、上記のテレビ受信機であって、受信チャネルの切替指示の有無を判定するチャネル切替判定手段を備え、前記受信動作切替手段は、前記受信チャネルの切替指示があった場合、前記複数の受信手段のうちの第１の受信手段を新たなチャネルの受信動作に切り替えるとともに、前記複数の受信手段のうちの第２の受信手段を以前のチャネルの受信動作のまま継続させるものであり、前記第１の受信手段から前記新たなチャネルの受信信号が出力可能となった場合に、前記第２の受信手段の出力から前記第１の受信手段の出力に切り替える出力切替手段を備えることとする。
これにより、受信チャネルの切替時に発生していた、受信内容が出力されるまでの待ち受け時間が長いという違和感を大幅に緩和することが可能となる。
【００１４】
また、本発明のテレビ受信機は、上記のテレビ受信機であって、前記出力切替手段により前記第１の受信手段からの出力に信号出力が切り替えられた後、前記受信動作切替手段は、前記受信状態判定手段によりダイバーシチ受信が必要でないと判定された場合、前記第２の受信手段を前記新たなチャネルと異なる他チャネルの受信動作に切り替え、前記番組情報取得手段は、前記第２の受信手段を用いて前記他チャネルの番組情報を取得することとする。
これにより、チャネル切替後も、他チャネルのＥＰＧ情報をリアルタイムに取得することが可能となる。
【００１５】
また、本発明のテレビ受信機は、複数の受信手段を用いてダイバーシチ受信を行うテレビ受信機であって、受信チャネルの切替指示の有無を判定するチャネル切替判定手段と、前記受信チャネルの切替指示があった場合、前記複数の受信手段のうちの一方の受信手段を新たなチャネルの受信動作に切り替えるとともに、前記複数の受信手段のうちの他方の受信手段を以前のチャネルの受信動作のまま継続させる受信動作切替手段と、前記一方の受信手段から前記新たなチャネルの受信信号が出力可能となった場合に、前記他方の受信手段の出力から前記一方の受信手段の出力に切り替える出力切替手段とを備えるものである。
これにより、受信チャネルの切替時に発生していた、受信内容が出力されるまでの待ち受け時間が長いという違和感を大幅に緩和することが可能となる。
【００１６】
また、本発明のテレビ受信機は、上記のテレビ受信機であって、前記受信動作切替手段は、前記出力切替手段により前記一方の受信手段からの出力に信号出力が切り替えられた後、前記他方の受信手段を前記新たなチャネルの受信動作に切り替えてダイバーシチ受信を行うこととする。
これにより、チャネル切替後も、ダイバーシチ動作を行わせることが可能となる。
【００１７】
本発明のテレビ受信方法は、複数の受信手段を用いてダイバーシチ受信を行うテレビ受信方法であって、前記受信手段の受信電界強度を基に、前記ダイバーシチ受信の必要性を判定する受信状態判定ステップと、前記受信状態判定ステップによりダイバーシチ受信が必要でないと判定された場合、前記複数の受信手段のうちの第１の受信手段を他チャネルの受信動作に切り替える受信動作切替ステップと、前記第１の受信手段を用いて前記他チャネルの番組情報を取得する番組情報取得ステップとを有するものである。
【００１８】
また、本発明のテレビ受信方法は、複数の受信手段を用いてダイバーシチ受信を行うテレビ受信方法であって、受信チャネルの切替指示の有無を判定するチャネル切替判定ステップと、前記受信チャネルの切替指示があった場合、前記複数の受信手段のうちの一方の受信手段を新たなチャネルの受信動作に切り替えるとともに、前記複数の受信手段のうちの他方の受信手段を以前のチャネルの受信動作のまま継続させる受信動作切替ステップと、前記一方の受信手段から前記新たなチャネルの受信信号が出力可能となった場合に、前記他方の受信手段の出力から前記一方の受信手段の出力に切り替える出力切替ステップとを有するものである。
【発明の効果】
【００１９】
本発明によれば、ユーザにとって有益な他チャネルのＥＰＧ情報をリアルタイムに取得することが可能なテレビ受信機及びテレビ受信方法を提供できる。また、本発明によれば、受信チャネルの切替時に発生していた、受信内容が出力されるまでの待ち受け時間が長いという違和感を大幅に緩和することが可能なテレビ受信機及びテレビ受信方法を提供できる。
【発明を実施するための最良の形態】
【００２０】
本実施形態では、テレビ受信機及びテレビ受信方法の例として、１セグメント（１ＳＥＧ）地上波デジタルテレビ受信機に適用した構成例を示す。
【００２１】
（第１の実施形態）
図１は本発明の第１の実施形態に係る地上波デジタルテレビ受信機の構成を示すブロック図である。このテレビ受信機は、第１のアンテナ１００、第１のチューナ１０１、第１の復調器１０２、第１の電界強度検出回路１０３、第１の誤り訂正回路１０４、第２のアンテナ２００、第２のチューナ２０１、第２の復調器２０２、第２の電界強度検出回路２０３、第２の誤り訂正回路２０４、第１のスイッチ回路（ＳＷ）１０９、ＴＳ選択回路１０５、第１のＴＳデコード回路１０６、第２のＴＳデコード回路１１０、ＥＰＧ蓄積回路１１１、デコード回路１０７、映像・音声出力回路１０８及び制御部１５０を有して構成される。
【００２２】
第１、第２のチューナ１０１、２０１は、ユーザの希望するチャネルに応じて制御部１５０から送られる、該当チャネルを受信するための周波数データに従って、周波数チャネルをそれぞれ選択する。第１、第２の復調器１０２、２０２は、それぞれＯＦＤＭ（直交周波数分割多重：Orthogonal Frequency Division Multiplexing）信号をデジタルデータに変換する。第１、第２の誤り訂正回路１０４、２０４は送信局側で施されたエラー訂正機能によりそれぞれエラーを訂正、検出する。第１、第２の電界強度検出回路１０３、２０３はそれぞれ受信電界強度を検出して制御部１５０に出力する。なお、後述するように、第２の電界強度検出回路２０３で検出される受信電界強度を制御部１５０に入力する代わりに、第１のスイッチ回路１０９に直接入力してもよい。
【００２３】
ＴＳ選択回路１０５は、第１及び第２の誤り訂正回路１０４、２０４から出力されるトランスポートストリーム信号（ＴＳ信号）のいずれか一方を選択する。第１、第２のＴＳデコード回路１０６、１１０は、ＴＳ信号からパケットＩＤ（ＰＩＤ）により希望の情報が含まれるパケットを抽出する。デコード回路１０７は、地上波デジタルテレビの符号化方式で符号化された映像及び音声の信号をデコードする。映像・音声出力回路１０８は、液晶ディスプレイ、スピーカなどを用い、受信した映像及び音声を再生出力する。
【００２４】
第１のスイッチ回路１０９は、制御部１５０からの指示に従って、第１の誤り訂正回路１０４からのＴＳ信号の出力先をＴＳ選択回路１０５あるいは第２のＴＳデコード回路１１０に切り替える。ＥＰＧ蓄積回路１１１は、第２のＴＳデコード回路１１０によってデコードされたＥＰＧ情報を蓄積する。また、制御部１５０は、周知のＣＰＵ、ＲＯＭ、ＲＡＭ等（図示せず）の他、ユーザ操作による受信チャネルの指示入力を受け付けるＩ／Ｏインタフェースを有する。
【００２５】
上記構成において、チューナ１０１、２０１、復調器１０２、２０２、及び誤り訂正回路１０４、２０４によってそれぞれ構成される複数の受信系統により、複数の受信手段が構成される。また、上記電界強度検出回路１０３、２０３、及び制御部１５０によって受信状態判定手段の機能が実現される。また、第１のスイッチ回路１０９及び制御部１５０によって受信動作切替手段の機能が実現される。また、ＴＳデコード回路１１０、ＥＰＧ蓄積回路１１１、及び制御部１５０によって番組情報取得手段の機能が実現される。
【００２６】
上記構成を有する地上波デジタルテレビ受信機の動作を示す。図２は第１の実施形態の地上波デジタルテレビ受信機の動作処理手順を示すフローチャートである。この処理プログラムは、制御部１５０内のＲＯＭに格納されており、制御部１５０内のＣＰＵによって実行される。制御部１５０には、予めユーザが希望する受信チャネルの操作指示信号が入力される。
【００２７】
制御部１５０は、入力された希望の受信チャネルを受信するための周波数データを第１、第２のチューナ１０１、２０１に設定する（ステップＳ１）。第１、第２のチューナ１０１、２０１から出力される信号は、それぞれ第１、第２の復調器１０２、２０２に入力され、デジタルデータに復調される。さらに、第１、第２の復調器１０２、２０２で復調されたデータは、それぞれ第１、第２の誤り訂正回路１０４、２０４に入力され、送信局側で施されたエラー訂正機能によりエラーが訂正、検出されると、ＭＰＥＧ２トランスポートストリームのフォーマットで出力される。
【００２８】
制御部１５０は、第１、第２の電界強度検出回路１０３、２０３から受信電界強度をそれぞれ検出し（ステップＳ２）、２つの受信系統のいずれでも受信電界強度が安定しており、ダイバーシチ受信を行う必要がないか否かを判定する（ステップＳ３）。受信電界強度が不安定であり、ダイバーシチ受信を行う必要がある場合、第１、第２の誤り訂正回路１０４、２０４からの出力がいずれもＴＳ選択回路１０５に入力するように、第１のスイッチ回路１０９を切り替える（ステップＳ６）。ここで、パケットエラーの有無の判定は、第１、第２の電界強度検出回路１０３、２０３の検出レベルが十分であり、しかも安定している状態であることを検出することで行われる。
【００２９】
第１、第２の誤り訂正回路１０４、２０４は、訂正不可能になる程のエラーが発生した場合、ＴＳパケットのヘッダ部にそのパケットがエラーを含んでいることを示すフラグ（トランスポートエラー指標）をセットしてＴＳパケットを出力する。これにより、ＴＳ選択回路１０５は、第１、第２の誤り訂正回路１０４、２０４それぞれからのＴＳパケットのヘッダ部のトランスポートエラー指標を確認し、エラーのないＴＳパケットのみを選択して第１のＴＳデコード回路１０６にＴＳパケットを出力する。このように、ＴＳ選択回路１０５で誤りの無いＴＳパケットを選択することで、ダイバーシチ効果を得ることができる。
【００３０】
一方、受信電界強度が安定しており、２つの受信系統のいずれでもエラーパケットがないような場合、ステップＳ３でダイバーシチ受信を行う必要がないと判定される。この場合、２系統である第１、第２のチューナ１０１、２０１のいずれかに、例えば第１の誤り訂正回路１０４の出力を第２のＴＳデコーダ１１０に入力するように、第１のスイッチ回路１０９を切り替える（ステップＳ４）。そして、第１のチューナ１０１に他チャネルの周波数データを設定し、他チャネルのＥＰＧ情報を取得する動作を行わせる（ステップＳ５）。そして、取得したＥＰＧ情報をＥＰＧ蓄積回路１１１に蓄積する。
【００３１】
このように、第１の実施形態の地上波デジタルテレビ受信機によれば、ダイバーシチ受信のために用意された受信系統を、ダイバーシチ受信が不要な場合、他チャネルのＥＰＧ情報の取得動作に切り替えることで、リアルタイムに他チャネルのＥＰＧ情報を取得することができる。また、移動体通信での受信のように、送信波の帯域が狭いという制約があり、刻々と受信エリアが変わる場合においても、有効なＥＰＧ情報を受信機のユーザに提供できる。
【００３２】
（第２の実施形態）
図３は本発明の第２の実施形態に係る地上波デジタルテレビ受信機の構成を示すブロック図である。上述した第１の実施形態と同一の構成要素については、同一の符号を付すことによりその説明を省略する。第２の実施形態のテレビ受信機は、第１のＴＳデコード回路１０６及び第２のＴＳデコード回路１１０からの出力を選択してデコード回路１０７に入力する第２のスイッチ回路１１２を備える。図３では、図１に示した第１の実施形態のＥＰＧ蓄積回路１１１は省かれている。第２の実施形態では、制御部１５０によってチャネル切替判定手段の機能が実現される。また、第１のスイッチ回路１０９及び制御部１５０によって受信動作切替手段の機能が実現される。また、第２のスイッチ回路１１２及び制御部１５０によって出力切替手段の機能が実現される。
【００３３】
図４は第２の実施形態の地上波デジタルテレビ受信機の動作処理手順を示すフローチャートである。この処理プログラムは、制御部１５０内のＲＯＭに格納されており、制御部１５０内のＣＰＵによって実行される。
【００３４】
ユーザが希望する受信チャネルの操作指示信号が制御部１５０に入力されると、制御部１５０は、入力された希望のチャネルを受信するための周波数データを、第１、第２のチューナ１０１、２０１に設定する（ステップＳ１１）。そして、ダイバーシチ受信動作が行われる。
【００３５】
このダイバーシチ受信を行っている状態で、ユーザ操作によるチャネル切り替え指示があったか否かを判別する（ステップＳ１２）。チャネル切り替え指示がなかった場合、ステップＳ１２の処理を繰り返す。一方、チャネル切り替え指示があった場合、第１のスイッチ回路１０９の出力を第２のＴＳデコード回路１１０側に変更する（ステップＳ１３）。この切替動作と同時に、第１のチューナ１０１だけに新しいチャネルの周波数データを設定し、第２のＴＳデコード回路１１０で新しいチャネルのデコード動作を行うようにする（ステップＳ１４）。ＴＳ選択回路１０５は、常に第２の誤り訂正回路２０４からの出力を選択するように設定されるので、デコード回路１０７及び映像・音声出力回路１０８には、切替前のチャネルの音声信号及び映像信号が入力される。
【００３６】
そして、第２のＴＳデコード回路１１０から新たなチャネルでの信号が出力可能になるまで待機する（ステップＳ１５）。つまり、第２のＴＳデコード回路１１０で参照フレーム（Ｉピクチャ）の受信が完了し、新しいチャネルの映像が再生できる状態になるまで待つ。新しいチャネルの映像が再生できる状態になったところで、第２のスイッチ回路１１２を第２のＴＳデコード回路１１０側に切り替え（ステップＳ１６）、新しいチャネルの映像表示を開始する。
【００３７】
この後、第２のチューナ２０１に新しいチャネルの周波数データを設定し、第１のＴＳデコード回路１０６で新しいチャネルのデコード動作を行うようにする（ステップＳ１７）。第１のＴＳデコード回路１０６から新たなチャネルでの信号が出力可能になるまで待ち（ステップＳ１８）、新たなチャネルでの信号が出力可能になると、ダイバーシチ受信を行うべく、第１、第２のスイッチ回路１０９、１１２を切り替える（ステップＳ１９）。つまり、ダイバーシチ動作では、第１のスイッチ回路１０９は、第１の誤り訂正回路１０４の出力をＴＳ選択回路１０５に入力するように、第２のスイッチ回路１１２は、第１のＴＳデコーダ回路１０６を選択するように設定される。この後、ステップＳ１２の処理に戻る。
【００３８】
このように、第２の実施形態の地上波デジタルテレビ受信機によれば、ユーザがチャネルを切り替えてから、切替後のチャネルの映像が出力されるまでの数秒間、切替前のチャネルの映像を流し続けることができ、違和感の無いチャネル切替動作を行うことができる。また、チャネル切替動作が完了した後、第２のチューナ２０１も新しいチャネルの周波数に同調させ、再びダイバーシチ動作を行わせることができる。
【００３９】
なお、本発明は、上記実施形態の構成に限られるものではなく、種々の変形実施が可能である。例えば、第２の実施形態では、チャネル切替動作が完了した後、第２のチューナ２０１も新しいチャネルの周波数に同調させ、再びダイバーシチ動作を行わせるようにしたが、このような動作の代わりに、第１の実施形態と同様、受信電界強度を基にダイバーシチ動作の必要性を判定し、ダイバーシチ動作が必要でない場合、第２のチューナ２０１のチャネルを切り替えることなくそのまま、あるいは別のチャネルに切り替え、視聴しているチャネルとは別のチャネルのＥＰＧ情報を受信して蓄積するようにしてもよい。
【００４０】
また、上記各実施形態では、第１、第２の電界強度検出回路１０３、２０３の少なくとも一方で検出される受信電界強度を基に、制御部１５０が第１のスイッチ回路１０９を切り替えたが、第１、第２の電界強度検出回路１０３、２０３のいずれか一方からの信号によって第１のスイッチ回路１０９を直接切り替えるようにしてもよい。
【産業上の利用可能性】
【００４１】
本発明は、ユーザにとって有益な他チャネルのＥＰＧ情報をリアルタイムに取得することが可能となる効果、並びに、受信チャネルの切替時に発生していた、受信内容が出力されるまでの待ち受け時間が長いという違和感を大幅に緩和することが可能となる効果を有し、地上波デジタルテレビ放送等を受信するテレビ受信機及びテレビ受信方法等に有用である。
【図面の簡単な説明】
【００４２】
【図１】本発明の第１の実施形態に係る地上波デジタルテレビ受信機の構成を示すブロック図
【図２】第１の実施形態の地上波デジタルテレビ受信機の動作処理手順を示すフローチャート
【図３】本発明の第２の実施形態に係る地上波デジタルテレビ受信機の構成を示すブロック図
【図４】第２の実施形態の地上波デジタルテレビ受信機の動作処理手順を示すフローチャート
【図５】従来の地上波デジタルテレビ受信機の構成を示すブロック図
【図６】アンテナ及び受信回路を２系統用意して実現されたダイバーシチによる地上波デジタルテレビ受信機の構成を示すブロック図
【符号の説明】
【００４３】
１０１、２０１  チューナ
１０２、２０２  復調器
１０３、２０３  電界強度検出回路
１０４、２０４  誤り訂正回路
１０５  ＴＳ選択回路
１０６、１１０  ＴＳデコード回路
１０７  デコード回路
１０８  映像・音声出力回路
１０９  第１のスイッチ回路
１１１  ＥＰＧ蓄積回路
１１２  第２のスイッチ回路
１５０  制御部
【図１】
2006211111.tif 000003
【図２】
2006211111.tif 000004
【図３】
2006211111.tif 000005
【図４】
2006211111.tif 000006
【図５】
2006211111.tif 000007
【図６】
2006211111.tif 000008